(57)【要約】【課題】  オイルパステルや水性クレヨンなどの筆記具を使用しても着きが良好で且つ容易に消去することができる被筆記体を提供する。【解決手段】  繰り返し筆記及び消去することが可能な筆記面を備えた被筆記体１である。この被筆記体の筆記面の表面には、落書き防止用塗料による塗膜６が形成されている。【選択図】      図１
2006062349.tif 000002
【特許請求の範囲】
【請求項１】
繰り返し筆記及び消去することが可能な筆記面を備えた被筆記体であって、
前記筆記面の表面には、落書き防止用塗料による塗膜が形成されていることを特徴とする被筆記体。
【請求項２】
板状部材である本体部上に、落書き防止用塗料による前記塗膜が設けられたことを特徴とする請求項１に記載の被筆記体。
【請求項３】
請求項１又は２に記載の被筆記体と、筆記具としてのオイルパステルと、からなる筆記用具セット。
【請求項４】
請求項１又は２に記載の被筆記体と、筆記具としての水性クレヨンと、からなる筆記用具セット。
【発明の詳細な説明】
【技術分野】
【０００１】
本発明は、繰り返し使用が可能な被筆記体に関するものである。
【背景技術】
【０００２】
繰り返し筆記及び消去が可能な被筆記体として従来から黒板やホワイトボードが知られている。
黒板の場合、筆記具としてチョークを用いることにより、筆記された文字等を消すことができ、繰り返し使用が可能である。
ホワイトボードの場合、専用のホワイトボードマーカーで筆記することにより、繰り返し使用が可能となる。ホワイトボードとしては、合成樹脂や木材の合板、更には段ボール板などの比較的硬い板を芯材とし、その表面をポリプロピレン、ポリエチレン、ポリエステル等の合成樹脂で被覆したものが知られている（例えば、特許文献１参照。）。
【特許文献１】特開平９−１７５０８５号公報
【発明の開示】
【発明が解決しようとする課題】
【０００３】
しかし、黒板やホワイトボードには以下のような問題点がある。
黒板の場合は、筆記時にチョークの粉が手などに付着して汚れてしまい、またチョークの粉が飛散するという問題点がある。また、筆記具がチョークに限定されており、黒板自体の色も画一的であることから、描画の風合いが黒板特有のものであり、例えば普通の白い紙に描画した場合のような風合いは全く得られない。したがって、その用途は極めて限定されており、例えば広く一般家庭で用いられるようなものとはなっていない。
また、ホワイトボードの場合は、専用のホワイトボード用マーカーを用いる必要があり、また筆記された文字や描画は所謂マーカーで書いた風合いのものに限定されるので、主として事務的な用途に限定されている。
【０００４】
黒板やホワイトボードでは、専用の筆記具以外の筆記部を用いると、消去することができなかったり、消去が困難となったりといった不具合があるほか、上述したように描画や描線の風合いが極めて限定的であるから、例えば幼児等の子供が容易に描画することができるオイルパステルなどを用いて描画するお絵かき用ボードなどとしての用途には利用できなかった。
【０００５】
本発明は、かかる事情に鑑みてなされたものであり、繰り返し使用可能であって、オイルパステルや水性クレヨンなどの筆記具を使用しても着きが良好で且つ容易に消去することができる被筆記体を提供することを目的としている。
【課題を解決するための手段】
【０００６】
本発明の被筆記体は、繰り返し筆記及び消去することが可能な筆記面を備えた被筆記体であって、前記筆記面の表面には、落書き防止用塗料による塗膜が形成されていることを特徴とする。
本発明者は、上記目的を達成しうる被筆記体を鋭意研究したところ、全く意外なことに、落書き防止用塗料として知られている塗料を用いることにより、オイルパステルや水性クレヨン等で筆記しても着きが良好で、しかも極めて容易に消去することができる被筆記体とすることができることを見いだした。
【０００７】
落書き防止用塗料は、ラッカースプレーやペンキ等による落書きを容易に除去できるように開発されたものであり、専ら落書きの除去のみを目的としたものである。したがって、落書き防止用塗料は、落書き等ができるだけ筆記できないような塗料とされており、筆記具の着きをできるだけ悪くすることを意図して開発されたものである。したがって従来、落書き防止用塗料を、お絵かきボードのような積極的に筆記することを目的とした用途に用いるということは到底考えられなかった。そして、仮に落書き防止用塗料の上にオイルパステル等で筆記しても描線がかすれたりはじかれたりして、着きが極めて悪いことが想定された。ところが全く意外なことに、落書き防止用塗料の上にオイルパステル等で筆記してみたところ、着きが極めて良好で、且つ消去も極めて容易であることが分かった。
【０００８】
上記の被筆記体は、板状部材である本体部上に、落書き防止用塗料による前記塗膜が設けられたものとするのが好ましい。この場合、筆記圧によってもほとんど被筆記体が変形せず、他に下敷きや支持体等を要することなく使用することができる。
【０００９】
本発明の筆記用具セットは、上記の被筆記体と、筆記具としてのオイルパステル又は水性クレヨンと、からなるものである。落書き防止用塗料を用いた本発明の被筆記体用の筆記具としては、オイルパステルや水性クレヨンが特に好ましいこととが分かった。即ち、本発明の被筆記体用の筆記具としてオイルパステルや水性クレヨンを用いると、着きが良く消去も極めて容易であることが分かった。
また、水性クレヨンを用いた場合、消去するために用いた拭き布などのイレーザーを水洗いすることにより、イレーザーに付着した水性クレヨンを簡単に除去でき、イレーザーの洗浄が極めて容易となる。
【００１０】
なお、オイルパステル（あるいはパスとも称される）は、例えば株式会社サクラクレパスから市販されているクレパス（登録商標）がその代表的なものであるが、クレヨンとは異なるものである。クレヨンの一般的な成分は、ロウ（パラフィン、牛脂硬化油、ステアリン酸誘導体等）などの油脂分６３〜８６％と、体質顔料（炭酸カルシウム、タルク等）５〜２４％と、顔料５〜３１％とを含有するものである。一方オイルパステルの一般的な成分は、ロウ（パラフィン、牛脂硬化油、ステアリン酸誘導体等）や液状油等の油脂分３２〜６０％と、体質顔料（炭酸カルシウム等）３７〜５７％と、顔料３〜２５％とを含有するものである。オイルパステルは、クレヨンよりも柔らかく、弱い筆圧でも書きやすい他、クレヨンに比して面塗りに適しているという特徴がある。
一方、水でふき取ることのできる水性クレヨンは、ロウ等の油脂分の代わりに界面活性剤を使用したものである。
【発明の効果】
【００１１】
本発明によれば、筆記面の表面に落書き防止用塗料を用いることにより、オイルパステルや水性クレヨンなどの多数の色彩を有する筆記具を使用しても着きが良好で且つ容易に消去することができる繰り返し使用可能な被筆記体を提供することができる。
【発明を実施するための最良の形態】
【００１２】
以下に、本発明の実施形態について図面を参照しつつ説明する。
図１は、本発明の一実施形態である被筆記体としての筆記用ボード１の斜視図である。筆記用ボード１は、全体として矩形をなし、その四辺に沿って設けられた枠部２と、筆記具により筆記される平面である筆記面３とを有している。なお、筆記用ボード１の形状は矩形に限られず、あらゆる形状とすることができる。
【００１３】
図２は、筆記面３部分における筆記用ボード１の断面図である。筆記用ボード１は、板状の本体部４と、本体部４の表面に設けられた着色塗膜としての着色層５と、透明性を有し最も表面側の塗膜を構成する最外層６とからなる。最外層６は、落書き防止用塗料よりなる。
【００１４】
なお、本体部４の材質は特に限定されず、金属、樹脂、合板等の木材、等あらゆるものを用いることができる。本体部４として剛性の高いもの、即ち筆記圧程度の外力によりほとんど変形しない程度の剛性を有するものを用いることにより、他に下敷きや支持体等を要することなく使用できる被筆記体とすることができる。また本体部４として金属板を用いた場合には、筆記面３に磁石を付けることができ用途が広がる点において好ましい。
一方、本体部４は、板状の部材に限定されず、例えばシート状部材のような柔軟な材料を用いても良い。即ち、本体部４として例えば樹脂、ゴム、紙、布等からなるシート材を用いても良い。この場合は、折り畳んだり丸めたりでき且つ軽量となるので、携帯や収納に便利となる点において好ましい。さらに、シート状部材として、マグネットシートや粘着シートなども用いることができる。マグネットシートとした場合、スチール製の収納備品等に簡単に脱着することができる点で好ましい。また、粘着シートとした場合、壁面などに簡単に貼り付けることができ、剥がすのも容易である点で好ましい。
【００１５】
また、筆記面３に罫引を設けておくのもよい。罫引を設けておくと、黒板やホワイトボードに設けられた罫引と同様、例えば日付の記載や日程表など特定の用途に利用する場合の利便性が向上する点で好ましい。罫引は、本実施形態のように落書き防止用塗料がクリア塗料の場合には、該クリア塗料層の直下に設けると、クリア塗料層により罫引が保護されるので好ましい。よって例えば本実施形態のような塗膜構成の場合、着色層５を塗装後、この着色層５の上に罫引を設け、更にその上に落書き防止用塗料よりなり透明性を有する最外層６を設けるのが好ましい。
【００１６】
本実施形態では、本体部４上の塗膜が２層のものを例示しているが、本発明では、少なくとも最外層６に落書き防止用塗料を用いればよい。従って塗膜は落書き防止用塗料のみの１層でもよく、逆に３層以上の多層でもよい。最外層が落書き防止用塗料である場合であって、更に素地調整用塗料、下塗り用塗料、中塗り用塗料、上塗り用塗料、など最外層以外の各層として専用の塗料が推奨されている場合は、それらの塗膜構成をそのまま用いることもできる。
【００１７】
着色層５を設けることにより、本体部４の色を隠蔽することができ、本体部４の色に関わらず好みの色に着色することができる。この場合、最外層６に用いる落書き防止用塗料として、透明性を有するクリアー塗料を用いると、着色層５の色が視認されることになるので好ましい。着色層５の色としては白色のものを用いると、白い紙に描いた場合に近い風合いが得られるので好ましい。
【００１８】
本発明において塗膜を形成する落書き防止用塗料は、落書きを容易に除去することができる塗料として市販されているものを使用することができる。特に、建築物外壁、電柱、橋脚等の構造物に塗布されることにより、ラッカースプレー、フェルトペン等による落書きを乾拭き等の簡単な方法で除去することが可能な落書き防止用塗料が好ましい。一般的に、このような落書き防止用塗料は、落書きの除去が容易となる効果の他、その表面上に貼られたポスター、広告ビラ等の貼り紙が自然にはがれるかあるいは容易に除去することができる効果をも有する。
【００１９】
このような落書き防止用塗料としては、フッ素樹脂系塗料、シリコーン樹脂系塗料、シリコン変性フッ素樹脂系塗料、シリコーン・フッ素樹脂系塗料、アクリルシリコーン樹脂系塗料などが例示される。
【００２０】
より詳細には、落書き防止用塗料としては、塗料中にシリコーンオイル、ポリエチレンワックス、流動パラフィン等の潤滑性を有する物質を添加したもの、塗料中にポリテトラフルオロエチレン、ポリフッ化ビニリデン、ポリ（パーフルオロアルキルアクリレート）、テトラフルオロエチレンまたはクロロトリフルオロエチレン／アルキルビニルエーテル共重合体等のフッ素含有化合物、あるいはポリアルキルシロキサン含有化合物を含むもの、さらにはフッ素樹脂微粒子を添加した塗料が例示される。
【００２１】
さらに、他の落書き防止用塗料としては、ポリアルキルシロキサン含有化合物を含むものがあり、シリコーン樹脂等に代表されるバインダー樹脂にシリコーンオイル、ポリエチレンワックス、流動パラフィン等の潤滑性を有する物質を添加した塗料が例示される。更には、反応性シリコーンオイルを含有する塗料や、アゾ基、パーオキシ基等のラジカル発生可能なポリジメチルシロキサン化合物を用いて（メタ）アクリル酸エステルを共重合し、ポリジメチルシロキサンを分子鎖中にブロック共重合させた基体樹脂を含有する塗料を例示することができる。フッ素樹脂とポリシロキサンを直接反応させグラフト化したグラフト化物を含有する塗料でもよい。また、重合体鎖中にポリジメチルシロキサンブロックが存在する共重合体及び／又は重合体鎖中にポリジメチルシロキサン鎖がグラフトされている共重合体からなる塗料でもよい。
【００２２】
別の落書き防止用塗料としては、ウレタン結合を介してラジカル重合性不飽和結合部分を有する有機溶剤可溶性フッ素樹脂、片末端ラジカル重合性ポリシロキサン、及び、ラジカル重合反応条件下において前記有機溶剤可溶性フッ素樹脂と二重結合による重合反応以外には反応しないラジカル重合性単量体、を共重合してなるグラフト共重合体が例示される。
【００２３】
さらに別の落書き防止用塗料としては、ウレタン結合を介してラジカル重合性不飽和結合を有するフッ素樹脂、片末端ラジカル重合性ポリシロキサン、 アルコキシシリル基を有する単量体、及び水酸基を有する単量体、を含んで共重合された共重合体と、この共重合体と架橋反応することが可能なポリイソシアネート等の硬化剤とを含有してなる塗料を例示することができる。この場合のフッ素樹脂は、水酸基を有するフッ素樹脂とイソシアネート基を有するラジカル重合性単量体とを反応させることにより得られる。このラジカル重合性単量体としては、メタクリロイルイソシアネート、２−イソシアナトエチルメタクリレート等が例示される。また、片末端ラジカル重合性ポリシロキサンとしては、サイラプレーン(登録商標)ＦＭ−０７１１（チッソ株式会社製）、サイラプレーン(登録商標)ＦＭ−０７２１（チッソ株式会社製）、サイラプレーン(登録商標)ＦＭ−０７２５（チッソ株式会社製）、Ｘ−２２−１７４ＤＸ（信越化学工業株式会社製）等が挙げられる。これらの片末端ラジカル重合性ポリシロキサンは、単独でも又は２種類以上混合して使用しても良い。さらに、アルコキシシリル基を有する単量体としては、例えば、−メタクリロキシプロピルトリメトキシシラン、−メタクリロキシプロピルトリエトキシシラン、−メタクリロキシプロピルメチルジメトキシシラン、ビニルトリメトキシシラン、ビニルトリエトキシシラン、ビニルトリス（−メトキシエトキシ）シラン、グリシジル（メタ）アクリレート等が挙げられる。水酸基を有する単量体としては、例えば、ｐ−ヒドロキシスチレン、ｐ−ヒドロキシメチルスチレン、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、ジ−２−ヒドロキシエチルフマレート等が例示される。
【００２４】
なお、例示したこれらの落書き防止用塗料については、特開平９−１００４４５号公報、特開２０００−１６０１３２号公報、特開２０００−１１９３５４号公報、特開２００３−２９２８７０号公報に記載されている。
【００２５】
本発明で用いられる落書き防止用塗料として市販されているものとしては、エスケー化研株式会社製の特殊シリコーン樹脂系塗料である製品名「ＳＫハードクリーン」（登録商標）、川上塗料株式会社性の２液型アクリルシリコーン樹脂系塗料である商品名「ケシゾー」、大日本塗料株式会社製の特殊シリコーン変性フッ素樹脂クリヤー塗料である商品名「マジックアート」（登録商標）、恒和化学工業株式会社製の特殊シリコーン・フッ素樹脂系塗料である商品名「ダイヤリファイン」（登録商標）、大橋化学工業株式会社製の離型性シリコーン複合塗料である商品名「エバハード（登録商標）Ｎｏ１００（Ｓ）」、等を例示することができる。
【００２６】
本発明の被筆記体に筆記するための筆記具としては、例えばパステル、クレヨン、ホワイトボード用マーカー、オイルパステル、水性クレヨン、等を用いることができる。これらのうち、特にオイルパステルと水性クレヨンを用いた場合、筆記面への着きが極めて良好であり、かつ消去が極めて容易であることが分かった。
【００２７】
本発明の被筆記体上に筆記された描画や描線を消去するイレーザーとしては、特殊なものは必要とせず、例えば布類（生地、タオル、雑巾、不織布等）、紙類（ティッシュペーパー、ちり紙等）、ホワイトボード用イレーザー、スポンジ、等を適宜利用できる。またキッチンペーパー等のパルプ不織布も利用することができる。上述した筆記具（パステル、クレヨン、ホワイトボード用マーカー、オイルパステル、水性クレヨン）により筆記した場合には、消去において溶剤や水を用いることなく、乾拭きにて極めて容易に描線を消去することができる。
【００２８】
落書き防止用塗料の塗装方法は特に限定せず、刷毛、ローラー、スプレー等による塗装が可能である。できるだけ均一でムラのない塗膜が形成されているのが好ましく、この観点から微粒子の噴霧器によるスプレー塗装が特に好ましい。
【００２９】
（実施例１）
大日本塗料株式会社製の特殊シリコーン変性フッ素樹脂クリヤー塗料である商品名「マジックアート」（登録商標）を用いて、被筆記体である筆記用ボードを作製した。筆記用ボードの本体部としては金属板を用い、この金属板の表面に着色層として白色のウレタン系塗料をスプレー塗装し、さらに上述した「マジックアート」（登録商標）を微粒子の噴霧器でスプレー塗装して筆記面を作製した。この筆記面に、パステル、クレヨン、ホワイトボード用マーカー、オイルパステル、水性クレヨン、油性マーカー、水性マーカーの各筆記具を用いて描線の着き具合及び消去の容易性をテストした。オイルパステルとしては、株式会社サクラクレパス製の商品名「サクラクレパスふとふと」を用い、水性クレヨンとしては、株式会社サクラクレパス製の商品名「サクラクレヨン水でおとせる水性らくがき用」を用いた。更に、パステルとしては株式会社大創産業から販売されている商品名「パステルＮｏ．２８」を用い、クレヨンとしては株式会社大創産業から販売されている商品名「ソフトクレヨン円形紙巻きタイプＮＯ．４」を用い、ホワイトボード用マーカーとしては株式会社サクラクレパス製の商品名「サクラホワイトボードマーカー油性（アルコール）」を用い、油性マーカーとしては株式会社サクラクレパス製の商品名「サクラペンタッチ油性」を用い、水性マーカーとしてはぺんてる株式会社製の商品名「Ｐｅｎｔｅｌ  Ｓｉｇｎ  Ｐｅｎ」を用いた。
結果は表１の通りである。
【００３０】
【表１】
2006062349.tif 000003
【００３１】
評価は、目視による官能評価により行った。評価結果を示す表中の各記号の意味は以下の通りである。
〔着き具合〕
○・・・紙に筆記した場合に近い良好な着き具合であった。
△・・・上記○のものに比べて着きが悪く、描線の一部がかすれた状態となった。
×・・・着きが極めて悪く、描線の大部分が視認困難な状態であった。
〔消去の容易性〕
○・・・タオルやティッシュペーパーで軽く乾拭きするだけで容易に且つほぼ完全に消去できた。
△・・・タオルやティッシュペーパーで軽く乾拭きしただけでは容易に消去できず、薄く跡が残った。
×・・・タオルやティッシュペーパーで軽く乾拭きしても消去できず、描線がほとんどそのまま残ったままであった。
【００３２】
このように、実施例によるテストでは、クレヨン、オイルパステル、水性クレヨン、ホワイトボード用マーカーで着き、消去性とも良好な結果が得られ、特にオイルパステル、水性クレヨン、ホワイトボード用マーカーでは着き、消去性とも極めて良好であった。したがって、実施例の筆記用ボードは、特にオイルパステルや水性クレヨンを筆記具とした場合に、幼児等の子供向けのお絵かき用ボード等として極めて好適なものとなった。
【００３３】
（実施例２）
ナトコ株式会社製の２液型塗料である商品名「パピレス１００（主剤；X5-100-5  パピレス１００クリヤー、硬化剤；X5-001  パピレス１００硬化剤）」を用いて、被筆記体である筆記用ボードを作製した。筆記用ボードの本体部としては厚さ０．３ｍｍの鉄板を用いた。そして、この鉄板の表面に着色層としてアイボリー色のウレタン系塗料をスプレー塗装し、その上に上述した「パピレス１００」を微粒子の噴霧器でスプレー塗装して筆記面を作製した。この筆記面に、パステル、クレヨンＡ、オイルパステル、ニュークレパス、クレヨンＢ、水性クレヨン、ケトン系白板マーカー、油性マーカー、水性マーカーの各筆記具を用いて描線の着き具合、消去の容易性及び消し跡についてテストした。
【００３４】
なお、パステルとしては株式会社大創産業から販売されている商品名「パステルＮｏ．２８」を用い、クレヨンＡとしては株式会社大創産業から販売されている商品名「ソフトクレヨン円形紙巻きタイプＮＯ．４」を用いた。オイルパステルとしては、株式会社サクラクレパス製の商品名「サクラクレパスふとふと」を用いた。また、ニュークレパスとは、株式会社サクラクレパス製の商品名「彩色パスＢＰ６」を意味する。クレヨンＢとしては、株式会社サクラクレパス性の商品名「サクラクレヨンふとまき１６色」を用いた。水性クレヨンとしては、株式会社サクラクレパス製の商品名「サクラクレヨン水でおとせる水性らくがき用」を用いた。ケトン系白板マーカーとしては株式会社サクラクレパス製の商品名「白板マーカー中字用」を用いた。油性マーカーとしては株式会社サクラクレパス製の商品名「サクラペンタッチ油性」を用い、水性マーカーとしてはぺんてる株式会社製の商品名「Ｐｅｎｔｅｌ  Ｓｉｇｎ  Ｐｅｎ」を用いた。
結果は表２の通りである。
【００３５】
【表２】
2006062349.tif 000004
【００３６】
評価は、目視による官能評価により行った。各評価項目は以下の基準により評価した。
〔着き具合〕
実施例２の筆記用ボードを幼稚園に設置し、５歳児１００名に各筆記具でボードに筆記してもらい、着き具合を評価した。評価基準は以下の通りである。
○・・・紙に筆記した場合に近い良好な着き具合であった。
△・・・上記○のものに比べて着きが悪く、描線の一部がかすれた状態となった。
×・・・着きが極めて悪く、描線の大部分が視認困難な状態であった。
【００３７】
〔消去の容易性〕
イレーザーとしてキッチンペーパー（パルプ不織布）を用い、５歳児が筆記した上記筆記用ボード上の筆記を保育園児又は幼稚園児が消すことが出来るか否かにより評価した。評価基準は以下の通りである。
Ａ：３歳児未満（０歳児〜２歳児）の保育園児５０人全員が、５回以内（イレーザーの操作回数が５回以内）で完全に消すことが出来た。
Ｂ：上記評価Ａと比較すると消去の容易性は劣るが、３歳児又は４歳児の保育園児５０人全員が５回以内（イレーザーの操作回数が５回以内）で完全に消すことが出来た。
Ｃ：上記評価Ｂと比較すると消去の容易性は劣るが、５歳児の幼稚園児５０人全員が５回以内（イレーザーの操作回数が５回以内）で完全に消すことが出来た。
Ｄ：２０歳以上の大人５人全員がイレーザーで強く擦っても消すことが出来なかった。
【００３８】
〔消し跡〕
Ａ：大人がイレーザー（キッチンペーパー）で強く擦れば消し跡は残らない。
Ｂ：大人がイレーザー（キッチンペーパー）で強く擦っても消し跡は残るが、水を使うことにより消し跡を落とすことが出来る。
Ｃ：大人がイレーザー（キッチンペーパー）で強く擦っても消し跡は残り、更に水を使っても消し跡は残るが、水と台所洗剤とを併用して用いることにより消し跡を落とすことが出来る。
【００３９】
また、上記の実施例２の筆記用ボードによるテストにおいて、上記オイルパステルで筆記された筆記用ボードを１ヶ月放置した後、消去の容易性を上記基準で評価した。その結果、消去の容易性の評価は「Ａ」であり、筆記後すぐに評価した上記表２の結果と変わらなかった。
【図面の簡単な説明】
【００４０】
【図１】本発明の一実施形態である被筆記体としての筆記用ボードの斜視図である。
【図２】図２は、筆記面部分における図１の筆記用ボードの断面図である。
【符号の説明】
【００４１】
１    筆記用ボード（被筆記体）
４    本体部
６    最外層（落書き防止用塗料による塗膜）
【図１】
2006062349.tif 000005
【図２】
2006062349.tif 000006